【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
情報コードを光学的に読み取る機能を備えた光学読取装置において、
前記情報コードが配置される面と対向する第１の面と、前記情報コードが配置される面とは反対側で前記第１の面と対向する第２の面と、前記第１および第２の面と略直交に配置され互いに対向する第３および第４の面とを備える略直方体形状のケーシングと、
前記ケーシング内で前記第１の面に臨み前記第４の面よりも前記第３の面に近い一端部に配置され、前記情報コードを撮像する撮像手段と、
前記ケーシング内で前記第１の面に臨み前記第４の面よりも前記第３の面に近い一端部で、前記撮像手段よりも前記第４の面に近い位置に配置され、前記情報コードを照射する照射手段と、
前記撮像手段は、その光軸を前記第１および第３の面に直交する面において、前記第１の面と直交する軸よりも前記第３の面側に傾いて配置されることを特徴とする光学読取装置。
【請求項２】
請求項１に記載の光学読取装置において、
前記ケーシングは、さらに互いに対向する第５および第６の面を有しており、前記照射手段は、前記撮像手段の配置位置よりも前記第５または第６の面側に配置されることを特徴とする光学読取装置。
【請求項３】
請求項１または請求項２に記載の光学読取装置において、
前記撮像手段よりも前記第３の面に近い位置に配置され、前記撮像手段の撮像位置を指し示すポインタ光照射手段を有することを特徴とする光学読取装置。
【請求項４】
請求項１ないし請求項３のいずれかに記載の光学読取装置において、
前記第１の面は、前記第３の面側の一端部で、その端部が前記第２の面側に傾斜する傾斜面を有していることを特徴とする光学読取装置。
【請求項５】
請求項３記載の光学読取装置において、
前記ポインタ光照射手段は、
略球面状に形成された底面部と、
円筒側面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする光学読取装置。
【請求項６】
請求項３記載の光学読取装置において、
前記ポインタ光照射手段は、
略球面状に形成された底面部と、
円筒側面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記上面部の円筒中心軸を中心に回転させることにより、前記ポインタ光照射手段の光軸を調整可能としたことを特徴とする光学読取装置。
【請求項７】
請求項３記載の光学読取装置において、
前記ポインタ光照射手段は、
略球面状に形成された底面部と、
略球面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする光学読取装置。
【請求項８】
請求項３記載の光学読取装置において、
前記ポインタ光照射手段は、
略球面状に形成された底面部と、
略球面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記ポインタ光照射手段の光軸と略直角で、前記プレートと略並行な軸を中心に回転させることにより、前記ポインタ光照射手段の光軸を調整可能としたことを特徴とする光学読取装置。
【請求項９】
請求項３記載の光学読取装置において、
前記ポインタ光照射手段は、
円筒側面状に形成された底面部と、
円筒側面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする光学読取装置。
【請求項１０】
請求項３記載の光学読取装置において、
前記ポインタ光照射手段は、
円筒側面状に形成された底面部と、
円筒側面状に形成された上面部と、
を有し、
前記光学読取装置は、
開口部が略円状の凹部を有する支持部材と、
前記ポインタ光照射手段の前記上面部に当接するプレートと、
を備え、
前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記上面部の円筒中心軸を中心に回転させることにより、前記ポインタ光照射手段の光軸を調整可能としたことを特徴とする光学読取装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
請求項５記載の発明は、請求項３記載の光学読取装置において、前記ポインタ光照射手段は、略球面状に形成された底面部と、円筒側面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする。
【手続補正５】
【補正対象書類名】明細書
【補正対象項目名】００１８
【補正方法】変更
【補正の内容】
【００１８】
請求項６記載の発明は、請求項３記載の光学読取装置において、前記ポインタ光照射手段は、略球面状に形成された底面部と、円筒側面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記上面部の円筒中心軸を中心に回転させることにより、前記ポインタ光照射手段の光軸を調整可能としたことを特徴とする。
【手続補正６】
【補正対象書類名】明細書
【補正対象項目名】００１９
【補正方法】変更
【補正の内容】
【００１９】
請求項７記載の発明は、請求項３記載の光学読取装置において、前記ポインタ光照射手段は、略球面状に形成された底面部と、略球面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする。
【手続補正７】
【補正対象書類名】明細書
【補正対象項目名】００２０
【補正方法】変更
【補正の内容】
【００２０】
請求項８記載の発明は、請求項３記載の光学読取装置において、前記ポインタ光照射手段は、略球面状に形成された底面部と、略球面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記ポインタ光照射手段の光軸と略直角で、前記プレートと略並行な軸を中心に回転させることにより、前記ポインタ光照射手段の光軸を調整可能としたことを特徴とする。
【手続補正８】
【補正対象書類名】明細書
【補正対象項目名】００２１
【補正方法】変更
【補正の内容】
【００２１】
請求項９記載の発明は、請求項３記載の光学読取装置において、前記ポインタ光照射手段は、円筒側面状に形成された底面部と、円筒側面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記プレートと略垂直な軸を中心に回転させることにより、前記ポインタ光照射手段の光軸を調整可能としたことを特徴とする。
【手続補正９】
【補正対象書類名】明細書
【補正対象項目名】００２２
【補正方法】変更
【補正の内容】
【００２２】
請求項１０記載の発明は、請求項３記載の光学読取装置において、前記ポインタ光照射手段は、円筒側面状に形成された底面部と、円筒側面状に形成された上面部と、を有し、前記光学読取装置は、開口部が略円状の凹部を有する支持部材と、前記ポインタ光照射手段の前記上面部に当接するプレートと、を備え、前記支持部材は、前記凹部に前記ポインタ光照射手段の前記底面部を収納することで、前記ポインタ光照射手段を回転自在に支持し、前記ポインタ光照射手段の前記上面部を前記プレートに当接させた状態で、前記ポインタ光照射手段を、前記上面部の円筒中心軸を中心に回転させることにより、前記ポインタ光照射手段の光軸を調整可能としたことを特徴とする。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】